(57)【要約】【課題】客の様々なニーズに応じた学用品及び教材用の転写シールを提供すること。【解決手段】剥離紙１、該剥離紙の表面を覆う接着剤層２及び該接着剤層の表面を覆う印刷層３からなる転写シート原紙を、コンピュータ制御された切断機を用いて印刷層及び接着剤層を学用品及び教材用の文字形状に切断した後、文字を構成する部分以外の印刷層及び接着剤層部分を剥離紙から除去することによって形成し、次いでその表面に保護シート４を積層して、転写シートを得る。【選択図】  図１
2005010704.tif 000002
【特許請求の範囲】
【請求項１】
剥離紙、接着剤層、印刷層及び保護シート層をこの順に積層してなる転写シートであって、該印刷層及び接着剤層は学用品及び教材に転写される文字を形成していることを特徴とする学用品及び教材用の転写シート。
【請求項２】
該印刷層は、剥離紙、該剥離紙の表面を覆う接着剤層及び該接着剤層の表面を覆う印刷層からなる転写シート原紙を、コンピュータ制御された切断機を用いて印刷層及び接着剤層を文字形状に切断した後、文字を構成する部分以外の印刷層及び接着剤層部分を剥離紙から除去することによって形成されたものであることを特徴とする請求項１記載の学用品及び教材用の転写シート。
【請求項３】
該印刷層が、学用品及び教材に転写される文字以外の文字をも更に包含していることを特徴とする請求項１又は２記載の学用品及び教材用の転写シート。
【請求項４】
剥離紙、該剥離紙の表面を覆う接着剤層及び該接着剤層の表面を覆う印刷層からなる転写シート原紙を、客が注文した、学用品及び教材に転写するための文字形状に対応するデータを切断機に付属するコンピュータにインプットし、コンピュータからの信号に基づいて切断機を用いて転写シート原紙の印刷層及び接着剤層を前記の文字形状に切断したのち、文字を構成する部分以外の印刷層及び接着剤層部分を剥離紙から除去し、次いで印刷層側の表面に保護シートを積層することを特徴とする学用品及び教材用の転写シートの製造方法。
【請求項５】
学用品及び教材用の転写シートを注文生産する方法であって、客から学用品及び教材に転写するための文字形状についての注文を受け、この注文に応じて色、書体、文字サイズ、文字の配置に関するデータをコンピュータにインプットし、次いで、剥離紙、該剥離紙の表面を覆う接着剤層及び該接着剤層の表面を覆う印刷層からなる転写シート原紙の印刷層及び接着剤層をコンピュータ制御された切断機を用いて所定の文字形状に切断したのち、文字を構成する部分以外の印刷層及び接着剤層部分を剥離紙から除去し、次いで印刷層側の表面に保護シートを積層して転写シートを得ることを特徴とする学用品及び教材用の転写シートを注文生産する方法。
【請求項６】
客からの注文をインターネット又はＦＡＸによって受けることを特徴とする請求項５記載の学用品及び教材用の転写シートを注文生産する方法。
【発明の詳細な説明】
【０００１】
【発明の属する技術分野】
本発明は、転写シ−トに関するものであり、特に、ノート、定規、筆箱、道具箱、かばん等の学用品及び教科書、ワークブック等の教材に、氏名、所属クラス、学年、教科名等を転写するための転写シ−トに関するものである。
【０００２】
【従来の技術】
従来、封筒、葉書、名刺、のし袋、祝儀袋等の表面に定型の文言を表示するに際しては、文言を手書きすることの煩雑さや手書き文字の読みづらさを避けるために、定型の文言を刻印したスタンプを用いて封筒等の表面に押印することや、定型の文言を印刷したステッカー（又はシール）を台紙からはがして封筒等の表面に貼付することが行なわれている。
例えば、封筒の場合を例にとると、封筒の表面に、「請求書在中」、「納品書在中」、「簡易書留」、「取扱注意」等の文言をゴム印やステッカーを用いて表示することが行なわれている。
【０００３】
また、前記のようなステッカー（又はシール）を用いた場合には文言が印刷されていないステッカー部分も封筒等の表面に貼付されることとなり、この部分が封筒等の地色と異なる場合には、美麗さを欠くという欠点があるため、文字部分のみが転写されるようにした転写シートも提案されている（例えば、特許文献１、２参照）。
【０００４】
上記特許文献１、２記載のものは、離型性を有する剥離シートの離型性表面に接着剤によって所定の文字等のパターンの印刷層を設け、この印刷層の表面に該パターンと同一のパターンを有する印刷層を設け、この印刷層の上に保護シートを設けた構成を有している。そして、使用に際しては、剥離シートを剥がしてから印刷層を設けた接着剤層面を被転写体に押圧して圧着し、次いで保護シートを剥がすことによって転写している。
【０００５】
ところで、従来の転写シートは、上記したような、冠婚葬祭用や業務用のものがほとんどであり、個人の様々なニーズに応じた転写シートを供給することは行なわれていないのが現状である。
しかしながら、例えば小学校の新入生向けに文房具店で鉛筆に名前を入れるサービスが行なわれていることにみられるように、小中学校の生徒が学校生活において使用する学用品や教材についても転写シールの需要は潜在的にあると考えられる。
【０００６】
例えば、ノート、定規、筆箱、かばん等の学用品及び教科書、ワークブック等の教材には、所有者及びノートの場合であれば種類を明らかにするために、氏名、所属クラス、学年、教科名等を記載する必要があるため、学用品及び教材用の転写シールのニーズはあると考えられる。従って、このようなニーズを満たす学用品、教材用の文字転写シールがあればその有用性は高い。
【０００７】
しかしながら、学用品及び教材には氏名を表示する必要があるが、個人名の転写シールは市販されていない。このため、個人名を転写するには、例えばＡからＺまでのアルファベットや５０音を印刷した転写シートを購入して、必要な文字のみを切り抜いて転写することが行なわれているが、使われない部分が多くなると共に、転写の仕上がりも美しくないという欠点がある。また、市販品を用いた場合には、文字のフォント、色が自分の好みに合う色のものが得られないという欠点がある。
【０００８】
現在では、パソコンとプリンターを用いて、氏名等をラベル印刷して、これをノート等に貼付することが行なわれているが、市販のものではラベルの大きさ、色等を自分の好みに応じたものとすることはできないし、また、ラベル貼付であると、前記したように美麗さに欠けるという欠点がある。
また、個人名を文字化した転写シートは、もっぱら個人の使用に止まるものであり、また、転写する文字の書体、色等も様々であるため、それらを注文に応じて生産することはコスト的に割が合わないため、このような注文生産システムはないのが現状である。
【０００９】
【特許文献１】
特開昭６０−１５５５００号公報
【特許文献２】
特開平９−２２０８９９号公報
【００１０】
【発明が解決しようとする課題】
本発明は、上記の課題を解決することを目的としてなされたものであり、個々人のニーズに応じた学用品、教材用の転写シートを提供することを目的とする。
【００１１】
【課題を解決するための手段】
上記課題を解決するための本発明は次に記載するとおりの構成を有している。
（１）剥離紙、接着剤層、印刷層及び保護シート層をこの順に積層してなる転写シートであって、該印刷層及び接着剤層は学用品及び教材に転写される文字を形成していることを特徴とする学用品及び教材用の転写シート。
（２）該印刷層は、剥離紙、該剥離紙の表面を覆う接着剤層及び該接着剤層の表面を覆う印刷層からなる転写シート原紙を、コンピュータ制御された切断機を用いて印刷層及び接着剤層を文字形状に切断した後、文字を構成する部分以外の印刷層及び接着剤層部分を剥離紙から除去することによって形成されたものであることを特徴とする請求項１記載の学用品及び教材用の転写シート。
（３）該印刷層が、学用品及び教材に転写される文字以外の文字をも更に包含していることを特徴とする請求項１又は２記載の学用品及び教材用の転写シート。
【００１２】
（４）剥離紙、該剥離紙の表面を覆う接着剤層及び該接着剤層の表面を覆う印刷層からなる転写シート原紙を、客が注文した、学用品及び教材に転写するための文字形状に対応するデータを切断機に付属するコンピュータにインプットし、コンピュータからの信号に基づいて切断機を用いて転写シート原紙の印刷層及び接着剤層を前記の文字形状に切断したのち、文字を構成する部分以外の印刷層及び接着剤層部分を剥離紙から除去し、次いで印刷層側の表面に保護シートを積層することを特徴とする学用品及び教材用の転写シートの製造方法。
【００１３】
（５）学用品及び教材用の転写シートを注文生産する方法であって、客から学用品及び教材に転写するための文字形状についての注文を受け、この注文に応じて色、書体、文字サイズ、文字の配置に関するデータをコンピュータにインプットし、次いで、剥離紙、該剥離紙の表面を覆う接着剤層及び該接着剤層の表面を覆う印刷層からなる転写シート原紙の印刷層及び接着剤層をコンピュータ制御された切断機を用いて所定の文字形状に切断したのち、文字を構成する部分以外の印刷層及び接着剤層部分を剥離紙から除去し、次いで印刷層側の表面に保護シートを積層して転写シートを得ることを特徴とする学用品及び教材用の転写シートを注文生産する方法。
（６）客からの注文をインターネット又はＦＡＸによって受けることを特徴とする請求項５記載の学用品及び教材用の転写シートを注文生産する方法。
【００１４】
【発明の実施の形態】
先ず、本発明の転写シートの製造方法を図１に基づいて説明する。
図１（ａ）は本発明の転写シートの原料シートであり、この原料シートは、剥離紙１と、該剥離紙１の全面に設けた接着剤層２と、該接着剤層２の全面に設けた印刷層３とから構成されている。
図１（ｂ）は、カッティング装置を用いて原料シートの印刷層を文字の輪郭形状にそって切断し、文字を形成する部分以外の印刷層を除去した状態を示す。
【００１５】
図示した例は、印刷層３から図１（ｃ）に示した「さんすう」という文字を切り出したものであり、図１（ｃ）で一点鎖線で示した断面の様子を示している。
原料シートの印刷層から文字の輪郭形状を残すように切断する装置としては、例えば、ミマキエンジニアリング社製のカッティングプロッターＣＧ−ＥＸシリーズを用いることができる。
図１（ｄ）は、文字抜きした原料シートの印刷層面側に印刷層を保護するための透明で剥離可能な保護シート４を設けた状態を示している。本明細書においてはこの図１（ｄ）に示される状態のものを転写シートという。
【００１６】
図２（ａ）〜（ｄ）は、上記のようにして得られた転写シートの文字をノートに転写する方法を示したものである。
図２（ａ）は、本発明の転写シートであり、図２（ｂ）はこの転写シートから剥離紙１を剥がしている様子を示す。
図２（ｃ）は、剥離紙を剥がすことによって現れた転写シートの接着剤層をノートに押圧して文字を転写する前の状態を示しており、図２（ｄ）は接着剤層をノートに押圧して文字を転写したのち保護シートを剥がして転写を完了した状態を示している。
【００１７】
本発明の転写シートは材料的には上記のような構成を有しているが、本発明の特徴はこの転写シート上の形成した文字の構成にある。
次に本発明の転写シートの文字の構成について述べる。
本発明の転写シートは、学用品、教材に転写して用いられる文字が主として配列されていることを特徴としている。
【００１８】
このような文字としては、例えば、「理科」、「算数」、「国語」、「社会」、「英語」等の教科名、「１年２組」、「２年さくら組」等の学年・クラス名、「○○小学校」、「△△付属中学校」等の学校名、「金澤たくみ」、「藤原菜花」、「まゆみ」、「れいな」、「Ｋ．ＴＡＫＵＭＩ」等の生徒の氏名、「Ｋ．Ｔ．」、「Ｆ．Ｎ．」等の名前のイニシアル、イニシアル転写用のアルファベット文字、また、低学年の生徒用には漢字にふりがなを付けたもの等が考えられる。
【００１９】
また、場合によっては、「○○小学校  ２年さくら組  金澤たくみ」のように一回の転写でこれらの文字列の全部を転写することができるように文字を配列することもできるし、それらの文字の一部、例えば名前部分のみを異なる書体や異なる大きさにすることもできる。更に注文によっては、これらの文字に加えて家庭でよく用いる「謹賀新年」、「御祝」、「内祝」、「御香典」、「御見舞」等の葉書、のし袋、慶弔袋等への転写用文字も併せて配列することが考えられる。
【００２０】
このように、客の注文に応じて様々な書体、色、大きさの文字を配列した転写シートを供給することは、前記したような特許文献１、２に記載されているような、文字形状に形成した接着剤層上に文字形状の印刷層を形成するような方法で行なうことはコスト的には不可能である。
【００２１】
本発明のような多品種で少量の転写シートの生産は、図１（ａ）に示したような転写シートを用い、前記したような切断装置を用いることによって初めてコスト的に可能となる。すなわち、前記した切断装置はコンピュータ制御によって切断が行なわれており、書体、色、大きさをコンピュータにインプットすることによって原料シートからいかなる形状の文字をも切り出すことができ、廉価に製品を提供できるからである。
【００２２】
図３は、転写シートの例を示すものであり、図３（ａ）は、主に名前を転写するための文字を配列したものであり、また、図３（ｂ）は色違いの転写シートのそれぞれに教科名、氏名を表示する文字を配列した３枚の転写シートセットを示したものである。
【００２３】
図４及び図５は、本発明の転写シートの文字を学用品及び教材に転写した状態を示すものである。
図４（ａ）は、道具箱にクラス名と名前を転写したものであり、図４（ｂ）はノートに教科名、クラス名及び氏名を転写したものである。また、図５（ａ）、（ｂ）は、それぞれ筆箱及び定規に名前を転写したものである。
【発明の効果】
本発明の転写シートは、学用品及び教材用の転写シートを、客の様々なニーズに応じて、簡便かつ低コストで製造することができるため、製品を客に安価で提供することができる。
【図面の簡単な説明】
【図１】本発明の転写シートの製造工程を説明する概略図である。
【図２】本発明の転写シートの文字を転写する方法を示した概略図である。
【図３】本発明の転写シートの一例を示す図である。
【図４】本発明の転写シートを用いて文字を転写された学用品を示す図である。
【図５】本発明の転写シートを用いて文字を転写された学用品を示す図である。
【符号の説明】
１  剥離紙
２  接着剤層
３  印刷層
４  保護シート
【図１】
2005010704.tif 000003
【図２】
2005010704.tif 000004
【図３】
2005010704.tif 000005
【図４】
2005010704.tif 000006
【図５】
2005010704.tif 000007